(57)【要約】【課題】コンテンツサーバへの作為的なアクセスを防止する。【解決手段】無線通信システムを構成する無線基地局３０は、移動端末から位置登録要求１０１を受け付ける度毎に、その受付時刻と前回の位置登録要求の受付時刻との時間差を監視する。無線基地局３０は、前記時間差が予め定めた閾値以上である場合、前記移動端末からの位置登録回数１０５を更新する。無線基地局３０は、位置登録回数１０５に応じて、前記移動端末とコンテンツサーバとの間でトラヒック１００及び２００を中継するか否か判定する。【選択図】図２
2011120085.tif 000002
【特許請求の範囲】
【請求項１】
移動端末との無線通信を行う通信手段と、
前記移動端末とコンテンツサーバとの間のトラヒックを中継する中継手段と、
前記移動端末から位置登録要求を受け付ける度毎に、その受付時刻と前回の位置登録要求の受付時刻との時間差を監視する監視手段と、
前記時間差が予め定めた閾値以上である場合、前記移動端末からの位置登録回数を更新する更新手段と、
前記位置登録回数に応じて、前記トラヒックの中継可否を判定する判定手段と、
を備えた無線基地局。
【請求項２】
請求項１において、
前記監視手段は、前記位置登録要求の受付時刻を記憶し、前記移動端末から新たな位置登録要求を受け付けた場合に、前記記憶した受付時刻を前回の位置登録要求の受付時刻として参照する、無線基地局。
【請求項３】
請求項１において、
前記監視手段は、前記位置登録要求の受付時刻を前記移動端末へ通知すると共に、前記移動端末に対して、前記通知した受付時刻を前回の位置登録要求の受付時刻として新たな位置登録要求に含めるよう指示する、無線基地局。
【請求項４】
請求項１〜３のいずれか一項において、
前記判定手段は、前記位置登録回数が予め定めた閾値以上である場合、前記トラヒックを中継すると判定する、無線基地局。
【請求項５】
自端末とコンテンツサーバとの間でトラヒックを中継する無線基地局との無線通信を行う通信手段と、
自端末が前記無線基地局に在圏する度毎に、前記無線基地局に対する位置登録要求を生成する生成手段と、
前記位置登録要求への応答として通知された、前記無線基地局における前記位置登録要求の受付時刻を記憶する記憶手段と、
前記記憶された受付時刻を、前記無線基地局における前回の位置登録要求の受付時刻として前記位置登録要求に含める包含手段と、
を備えた移動端末。
【請求項６】
移動端末と、
前記移動端末に対して情報を配信するコンテンツサーバと、
前記移動端末と前記コンテンツサーバとの間でトラヒックを中継する無線基地局と、を備え、
前記無線基地局は、
前記移動端末から位置登録要求を受け付ける度毎に、その受付時刻と前回の位置登録要求の受付時刻との時間差を監視し、
前記時間差が予め定めた閾値以上である場合、前記移動端末からの位置登録回数を更新し、
前記位置登録回数に応じて、前記トラヒックの中継可否を判定する、無線通信システム。
【請求項７】
移動端末とコンテンツサーバとの間でトラヒックを中継する無線基地局に用いる通信制御方法であって、
前記移動端末から位置登録要求を受け付ける度毎に、その受付時刻と前回の位置登録要求の受付時刻との時間差を監視し、
前記時間差が予め定めた閾値以上である場合、前記移動端末からの位置登録回数を更新し、
前記位置登録回数に応じて、前記トラヒックの中継可否を判定する、通信制御方法。
【請求項８】
請求項７において、
前記位置登録要求の受付時刻を記憶し、前記移動端末から新たな位置登録要求を受け付けた場合に、前記記憶した受付時刻を前回の位置登録要求の受付時刻として参照する、通信制御方法。
【請求項９】
請求項７において、
前記位置登録要求の受付時刻を前記移動端末へ通知すると共に、前記移動端末に対して、前記通知した受付時刻を前回の位置登録要求の受付時刻として新たな位置登録要求に含めるよう指示する、通信制御方法。
【請求項１０】
請求項７〜９のいずれか一項において、
前記位置登録回数が予め定めた閾値以上である場合、前記トラヒックを中継すると判定する、通信制御方法。
【請求項１１】
無線基地局を介してコンテンツサーバにアクセスする移動端末に用いる通信制御方法であって、
前記移動端末が前記無線基地局に在圏する度毎に、前記無線基地局に対する位置登録要求を生成し、
前記位置登録要求への応答として通知された、前記無線基地局における前記位置登録要求の受付時刻を記憶し、
前記記憶した受付時刻を、前記無線基地局における前回の位置登録要求の受付時刻として前記位置登録要求に含める、通信制御方法。
【請求項１２】
移動端末とコンテンツサーバとの間でトラヒックを中継する無線基地局に、
前記移動端末から位置登録要求を受け付ける度毎に、その受付時刻と前回の位置登録要求の受付時刻との時間差を監視する処理と、
前記時間差が予め定めた閾値以上である場合、前記移動端末からの位置登録回数を更新する処理と、
前記位置登録回数に応じて、前記トラヒックの中継可否を判定する処理と、
を実行させるための通信制御プログラム。
【請求項１３】
無線基地局を介してコンテンツサーバにアクセスする移動端末に、
前記移動端末が前記無線基地局に在圏する度毎に、前記無線基地局に対する位置登録要求を生成する処理と、
前記位置登録要求への応答として通知された、前記無線基地局における前記位置登録要求の受付時刻を記憶する処理と、
前記記憶した受付時刻を、前記無線基地局における前回の位置登録要求の受付時刻として前記位置登録要求に含める処理と、
を実行させるための通信制御プログラム。
【発明の詳細な説明】
【技術分野】
【０００１】
本発明は、無線基地局、移動端末、無線通信システム、並びにこれらに用いる通信制御方法及びプログラムに関し、特に携帯電話機等の移動端末を所持するユーザに対して、コンテンツサーバからのサービスを提供する技術に関する。
【背景技術】
【０００２】
例えば特許文献１には、無線基地局が、自局に在圏する移動端末とコンテンツサーバとの間のトラヒックを中継し、以てユーザに対して種々のサービスを提供する無線通信システムが記載されている。
【先行技術文献】
【特許文献】
【０００３】
【特許文献１】特開２００５−２２３９１５号公報
【発明の概要】
【発明が解決しようとする課題】
【０００４】
しかしながら、上記の特許文献１に記載の無線基地局は、移動端末が自局のサービスエリア内に入る度毎に、コンテンツサーバへのアクセスを許可している。このため、上記の特許文献１に記載の無線通信システムには、ユーザに対し、同一場所を訪れた回数に応じた特典を与えることができないという問題があった。例えば、コンテンツサーバを店舗に関する情報を配信する用途で運用する場合、顧客数の増加を図るためには、顧客に対して、店舗への訪問回数が多い程により優位な特典を与えるのが好適である。
【０００５】
この問題に対処するため、本願の発明者は、無線基地局が、移動端末からの位置登録回数に応じてコンテンツサーバへのアクセスを制限する無線通信システムを提案している(特願２００９−０６１５８４)。しかしながら、この場合には、コンテンツサーバへの作為的なアクセス(例えば、特典を得ることのみを目的として、ユーザが同一場所を短時間に繰り返し訪れるといった事態)が発生する虞がある。
【０００６】
従って、本発明は、コンテンツサーバへの作為的なアクセスを防止することが可能な無線基地局、移動端末、無線通信システム、並びにこれらに用いる通信制御方法及びプログラムを提供することを目的とする。
【課題を解決するための手段】
【０００７】
上記の目的を達成するため、本発明の第１の態様に係る無線基地局は、移動端末との無線通信を行う通信手段と、前記移動端末とコンテンツサーバとの間のトラヒックを中継する中継手段と、前記移動端末から位置登録要求を受け付ける度毎に、その受付時刻と前回の位置登録要求の受付時刻との時間差を監視する監視手段と、前記時間差が予め定めた閾値以上である場合、前記移動端末からの位置登録回数を更新する更新手段と、前記位置登録回数に応じて、前記トラヒックの中継可否を判定する判定手段とを備える。
【０００８】
また、本発明の第２の態様に係る移動端末は、自端末とコンテンツサーバとの間でトラヒックを中継する無線基地局との無線通信を行う通信手段と、自端末が前記無線基地局に在圏する度毎に、前記無線基地局に対する位置登録要求を生成する生成手段と、前記位置登録要求への応答として通知された、前記無線基地局における前記位置登録要求の受付時刻を記憶する記憶手段と、前記記憶された受付時刻を、前記無線基地局における前回の位置登録要求の受付時刻として前記位置登録要求に含める包含手段とを備える。
【０００９】
また、本発明の第３の態様に係る無線通信システムは、移動端末と、前記移動端末に対して情報を配信するコンテンツサーバと、前記移動端末と前記コンテンツサーバとの間でトラヒックを中継する無線基地局とを備える。前記無線基地局は、前記移動端末から位置登録要求を受け付ける度毎に、その受付時刻と前回の位置登録要求の受付時刻との時間差を監視し、前記時間差が予め定めた閾値以上である場合、前記移動端末からの位置登録回数を更新し、前記位置登録回数に応じて、前記トラヒックの中継可否を判定する。
【００１０】
また、本発明の第４の態様に係る通信制御方法は、移動端末とコンテンツサーバとの間でトラヒックを中継する無線基地局に用いる通信制御方法を提供する。この通信制御方法は、前記移動端末から位置登録要求を受け付ける度毎に、その受付時刻と前回の位置登録要求の受付時刻との時間差を監視し、前記時間差が予め定めた閾値以上である場合、前記移動端末からの位置登録回数を更新し、前記位置登録回数に応じて、前記トラヒックの中継可否を判定する。
【００１１】
また、本発明の第５の態様に係る通信制御方法は、無線基地局を介してコンテンツサーバにアクセスする移動端末に用いる通信制御方法を提供する。この通信制御方法は、前記移動端末が前記無線基地局に在圏する度毎に、前記無線基地局に対する位置登録要求を生成し、前記位置登録要求への応答として通知された、前記無線基地局における前記位置登録要求の受付時刻を記憶し、前記記憶した受付時刻を、前記無線基地局における前回の位置登録要求の受付時刻として前記位置登録要求に含める。
【００１２】
また、本発明の第６の態様に係る通信制御プログラムは、移動端末とコンテンツサーバとの間でトラヒックを中継する無線基地局に、前記移動端末から位置登録要求を受け付ける度毎に、その受付時刻と前回の位置登録要求の受付時刻との時間差を監視する処理と、前記時間差が予め定めた閾値以上である場合、前記移動端末からの位置登録回数を更新する処理と、前記位置登録回数に応じて、前記トラヒックの中継可否を判定する処理とを実行させる。
【００１３】
さらに、本発明の第７の態様に係る通信制御プログラムは、無線基地局を介してコンテンツサーバにアクセスする移動端末に、前記移動端末が前記無線基地局に在圏する度毎に、前記無線基地局に対する位置登録要求を生成する処理と、前記位置登録要求への応答として通知された、前記無線基地局における前記位置登録要求の受付時刻を記憶する処理と、前記記憶した受付時刻を、前記無線基地局における前回の位置登録要求の受付時刻として前記位置登録要求に含める処理とを実行させる。
【発明の効果】
【００１４】
本発明では、或る程度の時間を置いて位置登録を行う移動端末のみを、コンテンツサーバへのアクセス対象とする。このため、コンテンツサーバへの作為的なアクセスを防止することが可能である。
【図面の簡単な説明】
【００１５】
【図１】本発明の実施の形態１及び２に共通の無線通信システムの構成例を示したブロック図である。
【図２】本発明の実施の形態１に係る無線基地局の構成例を示したブロック図である。
【図３】本発明の実施の形態１に係る移動端末の構成例を示したブロック図である。
【図４】本発明の実施の形態１に係る移動端末の動作例を示したフローチャート図である。
【図５】本発明の実施の形態１に係る無線基地局の動作例を示したフローチャート図である。
【図６】本発明の実施の形態２に係る無線基地局の構成例を示したブロック図である。
【図７】本発明の実施の形態２に係る移動端末の構成例を示したブロック図である。
【図８】本発明の実施の形態２に係る無線基地局の動作例を示したフローチャート図である。
【図９】本発明の実施の形態２に係る移動端末における、位置登録時刻の記憶動作例を示したフローチャート図である。
【図１０】本発明の実施の形態２に係る移動端末における、位置登録要求の送信動作例を示したフローチャート図である。
【発明を実施するための形態】
【００１６】
以下、本発明に係る無線基地局及び移動端末、並びにこれらを適用する無線通信システムの実施の形態１及び２を、図１〜図１０を参照して説明する。なお、各図面において、同一要素には同一の符号が付されており、説明の明確化のため、必要に応じて重複説明は省略される。
【００１７】
[実施の形態１]
図１に示す本実施の形態に係る無線通信システム１は、移動端末１０と、移動端末１０に対して情報を配信するコンテンツサーバ２０と、移動端末１０とコンテンツサーバ２０との間でトラヒックを中継する無線基地局３０とを備えている。図示の例では、無線基地局３０は、インターネット２及びＩＳＰ(Ｉｎｔｅｒｎｅｔ Ｓｅｒｖｉｃｅ Ｐｒｏｖｉｄｅｒ)３を介してコンテンツサーバ２０に接続されている。また、コンテンツサーバ２０は、無線基地局３０からのみアクセス可能なサーバであり、無線基地局３０の設置場所付近でのみ閲覧可能な限定コンテンツを配信する。
【００１８】
動作において、移動端末１０は、無線基地局３０により形成されるサービスエリア(セル)４内に入る度毎に、位置登録要求１０１を無線基地局３０へ送信する。なお、以降の説明においては、移動端末１０がサービスエリア４内に入ることを、単に、移動端末１０が無線基地局３０に在圏すると表現する。
【００１９】
一方、無線基地局３０は、移動端末１０から位置登録要求１０１を受け付ける度毎に、その受付時刻(以下、今回の位置登録時刻と呼称することがある)と、前回の位置登録要求の受付時刻(以下、前回の位置登録時刻と呼称することがある)との時間差を監視する。この時間差が所定の閾値(例えば、数時間や数日)以上である場合、無線基地局３０は、移動端末１０からの位置登録回数を更新(カウントアップ)する。
【００２０】
そして、無線基地局３０は、位置登録回数に応じて、移動端末１０とコンテンツサーバ２０との間のトラヒックを中継するか否か判定する。例えば、無線基地局３０は、位置登録回数が所定の閾値(例えば、数回)以上である場合にトラヒックを中継すると判定し、以て移動端末１０からのコンテンツサーバ２０へのアクセスを許可する。
【００２１】
これにより、或る程度の時間を置いて位置登録を行う移動端末(すなわち、或る程度の時間を置いて無線基地局３０の設置場所を訪れるユーザ)のみを、コンテンツサーバ３０へのアクセス対象とし、以てコンテンツサーバ３０への作為的なアクセスを防止することができる。このため、コンテンツサーバ３０からの特典を受けることが可能なユーザを限定すること、すなわち、特典を得ることのみを目的として無線基地局３０の設置場所を短時間に繰り返し訪れるユーザ(例えば、数分間にサービスエリア４内外を行き来するユーザ)を除外することができる。
【００２２】
以下、上記の動作を実現する無線基地局３０及び移動端末１０の具体的な構成例及び動作例を、図２〜図５を参照して詳細に説明する。
【００２３】
まず、図２に示すように、無線基地局３０は、無線通信部３１と、トラヒック中継部３２と、位置登録要求監視部３３と、位置登録回数更新部３４と、中継可否判定部３５とを備えている。
【００２４】
この内、無線通信部３１は、大略、移動端末１０との無線通信を行う。具体的には、無線通信部３１は、アンテナ３６と、受信部３７と、送信部３８とを含む。受信部３７は、アンテナ３６を介して移動端末１０から受信した無線信号を復調し、以て上りトラヒック１００を得る。ここで、上りトラヒック１００には、上記の位置登録要求１０１の他、各種の制御信号やコンテンツサーバ３０に対するアクセス要求等が含まれる。一方、送信部３８は、トラヒック中継部３２から出力された下りトラヒック２００を変調し、これにより得た無線信号をアンテナ３６を介して移動端末１０へ送信する。ここで、下りトラヒック２００には、上記の位置登録要求１０１に対する応答(以下、位置登録応答と呼称する)や、コンテンツサーバ３０により配信された各種情報等が含まれる。
【００２５】
トラヒック中継部３２は、大略、中継可否判定部３５から出力された判定結果１０７に従って、コンテンツサーバ２０へのアクセスを制御する。具体的には、トラヒック中継部３２は、判定結果１０７が"中継可"を示す場合、上記のアクセス要求をコンテンツサーバ２０へ転送し、これに応じてコンテンツサーバ２０から受信した各種情報を送信部３８へ転送する。一方、判定結果１０７が"中継不可"を示す場合には、トラヒック中継部３２は、アクセス要求の転送は実行せず、以て移動端末１０からのコンテンツサーバ２０へのアクセスを制限する。
【００２６】
位置登録要求監視部３３は、大略、移動端末１０から位置登録要求１０１を受け付ける度毎に、今回の位置登録時刻と前回の位置登録時刻との時間差(以下、位置登録時間差)を監視する。具体的には、位置登録要求監視部３３は、認証ＩＤ判定部３９と、位置登録時間差判定部４０とを含む。認証ＩＤ判定部３９は、位置登録要求１０１に含まれる認証ＩＤが正当なＩＤであるか否かを判定し、その判定結果１０２を位置登録時間差判定部４０に与える。ここで、認証ＩＤは、無線基地局３０に固有のＩＤであり、移動端末１０内部で予め保持されているものとする。また、位置登録時間差判定部４０は、判定結果１０２が"認証成功(認証ＩＤ＝正当なＩＤ)"を示す場合、今回の位置登録時刻と記憶部４１から読み出した前回の位置登録時刻１０３とを用いて、位置登録時間差を算出する。また、位置登録時間差判定部４０は、記憶部４１中の位置登録時刻１０３を、今回の位置登録時刻に更新する。さらに、位置登録時間差判定部４０は、算出した位置登録時間差が閾値以上であるか否かを判定し、その判定結果１０４を位置登録回数更新部３４に与える。なお、記憶部４１には、一般的なメモリ等の記憶媒体を用いることができる。
【００２７】
位置登録回数更新部３４は、大略、位置登録時間差判定部４０から出力された判定結果１０４に従って、移動端末１０からの位置登録回数１０５を更新する。具体的には、位置登録回数更新部３４は、判定結果１０４が"位置登録時間差≧閾値"を示す場合、記憶部４１中の位置登録回数１０５を"１"だけインクリメントする。また、位置登録回数更新部３４は、インクリメント後の位置登録回数１０５が閾値以上であるか否かを判定し、その判定結果１０６を中継可否判定部３５に与える。
【００２８】
中継可否判定部３５は、大略、位置登録回数更新部３４から出力された判定結果１０６に従って、上記の判定結果１０７を発生する。具体的には、中継可否判定部３５は、判定結果１０６が"位置登録回数１０５≧閾値"を示す場合、判定結果１０７に"中継可"を設定する。一方、判定結果１０６が"位置登録回数１０５＜閾値"を示す場合、中継可否判定部３５は、判定結果１０７に"中継不可"を設定する。
【００２９】
一方、図３に示すように、移動端末１０は、上述した特願２００９−０６１５８４に記載される移動端末と同様に構成すれば良い。すなわち、移動端末１０には既存の移動端末を流用できる。具体的には、移動端末１０は、無線通信部１１と、信号処理部１２と、記憶部１３と、認証ＩＤ包含部１４とを備えている。
【００３０】
この内、無線通信部１１は、アンテナ１５と、受信部１６と、送信部１７とを含む。受信部１６は、アンテナ１５を介して無線基地局３０から受信した無線信号を復調し、以て下りトラヒック２００を得る。一方、送信部１７は、信号処理部１２から出力された上りトラヒック１００(位置登録要求１０１を含む)を変調し、これにより得た無線信号をアンテナ１５を介して無線基地局３０へ送信する。
【００３１】
信号処理部１２は、上りトラフィック１００を生成すると共に、下りトラフィック２００に対する所望の処理(例えば、コンテンツサーバ２０から配信された各種情報の表示)を実行する。また、信号処理部１２は、移動端末１０が無線基地局３０に在圏する度毎に、位置登録要求１０１を生成して認証ＩＤ包含部１４に与える。
【００３２】
認証ＩＤ包含部１４は、記憶部１３から読出した認証ＩＤ１０８を、位置登録要求１０１に含めて送信部１７へ転送する。
【００３３】
次に、無線基地局３０及び移動端末１０の具体的な動作例を詳細に説明するが、まず移動端末１０の動作例を、図４を参照して説明する。そして、無線基地局３０の動作例を、図５を参照して説明する。
【００３４】
図４に示すように、移動端末１０が無線基地局３０に在圏すると(ステップＳ１１)、移動端末１０内の信号処理部１２は、位置登録要求１０１を生成して認証ＩＤ包含部１４に与える(ステップＳ１２)。
【００３５】
認証ＩＤ包含部１４は、記憶部１３から認証ＩＤ１０８を読み出すと共に、読出した認証ＩＤ１０８を位置登録要求１０１に含める。そして、認証ＩＤ包含部１４は、位置登録要求１０１を送信部１７へ転送する(ステップＳ１３)。
【００３６】
送信部１７は、位置登録要求１０１を無線基地局３０へ送信する(ステップＳ１４)。
【００３７】
移動端末１０は、無線基地局３０に在圏する度毎に、上記のステップＳ１２〜Ｓ１４を実行する。
【００３８】
一方、図５に示すように、無線基地局３０で位置登録要求１０１が受信されると(ステップＳ２１)、位置登録要求監視部３３内の認証ＩＤ判定部３９は、位置登録要求１０１中の認証ＩＤ１０８が正当なＩＤであるか否かを判定する(ステップＳ２２)。
【００３９】
この結果、"認証ＩＤ１０８≠正当なＩＤ"が成立する場合、位置登録時間差判定部４０は、何ら処理を実行せず、以て無線基地局３０における処理が終了する。
【００４０】
一方、"認証ＩＤ１０８＝正当なＩＤ"が成立する場合、位置登録時間差判定部４０は、位置登録要求１０１が移動端末１０からの初回の位置登録に際して受信されたか否かを判定する(ステップＳ２３)。具体的には、位置登録時間差判定部４０は、移動端末１０の位置登録時刻１０３が記憶部４１に記憶されていない場合、初回の位置登録と判定する。
【００４１】
この結果、初回の位置登録と判定した場合、位置登録時間差判定部４０は、現在時刻を、位置登録時刻１０３として記憶部４１に記憶する(ステップＳ２４)。この時、位置登録時間差判定部４０は、初回の位置登録である旨を示す判定結果１０４を、位置登録回数更新部３４に与える。
【００４２】
位置登録回数更新部３４は、記憶部４１中の位置登録回数１０５を"１"に初期設定する(ステップＳ２５)。そして、位置登録回数更新部３４は、位置登録回数１０５が閾値Ｔｈ１(例えば、数回)以上であるか否かを判定する(ステップＳ２６)。
【００４３】
今、"位置登録回数１０５＜閾値Ｔｈ１"が成立するため、中継可否判定部３５は、判定結果１０７＝"中継不可"をトラヒック中継部３２に与える。トラヒック中継部３２は、後続の上りトラヒック１００を廃棄し、以て移動端末１０からのコンテンツサーバ２０へのアクセスを制限する(ステップＳ２７)。
【００４４】
一方、上記のステップＳ２３で初回の位置登録で無いと判定した場合、位置登録時間差判定部４０は、記憶部４１から前回の位置登録時刻１０３を読み出すと共に、現在時刻と読出した時刻１０３との時間差１０９を算出する(ステップＳ２８)。この時、位置登録時間差判定部４０は、記憶部４１中の位置登録時刻１０３を、現在時刻に更新する(ステップＳ２９)。
【００４５】
そして、位置登録時間差判定部４０は、上記のステップＳ２８で算出した位置登録時間差１０９が閾値Ｔｈ２(例えば、数時間や数日)以上であるか否かをさらに判定する(ステップＳ３０)。
【００４６】
この結果、"位置登録時間差１０９≧閾値Ｔｈ２"が成立する場合、位置登録回数更新部３４は、記憶部４１中の位置登録回数１０５を"１"だけインクリメントする(ステップＳ３１)。
【００４７】
そして、位置登録回数更新部３４は、上記のステップＳ２６に進んで、インクリメント後の位置登録回数１０５が閾値Ｔｈ１以上であるか否かを再び判定する。
【００４８】
この結果、"位置登録回数１０５＜閾値Ｔｈ１"が再び成立する場合、中継可否判定部３５は、判定結果１０７＝"中継不可"をトラヒック中継部３２に与える。トラヒック中継部３２は、上記のステップＳ２７に進んで、コンテンツサーバ２０へのアクセス制限を維持する。
【００４９】
一方、"位置登録回数１０５≧閾値Ｔｈ１"が成立する場合、中継可否判定部３５は、判定結果１０７＝"中継可"をトラヒック中継部３２に与える。トラヒック中継部３２は、後続の上りトラヒック１００をコンテンツサーバ２０へ転送し、以てコンテンツサーバ２０へのアクセス制限を解除する(ステップＳ３２)。
【００５０】
[実施の形態２]
図６に示す本実施の形態に係る無線基地局３０ａは、位置登録要求監視部３３内に位置登録時刻通知部４２を設けた点で、図２に示した上記の実施の形態１に係る無線基地局３０と異なる。また、位置登録時間差判定部４０は、上記の実施の形態１と異なり、記憶部４１にアクセスすること無く、位置登録時刻１０３を位置登録時刻通知部４２に与える。これにより、記憶部４１のリソース量(すなわち、メモリ使用量)と、記憶部４１へのアクセスに係る処理負荷とを、上記の実施の形態１と比して低減させている。
【００５１】
位置登録時刻通知部４２は、位置登録時刻１０３を、トラヒック中継部３２により生成された位置登録応答２０１に含めて送信部３８へ転送する。
【００５２】
一方、図７に示すように、本実施の形態に係る移動端末１０ａは、図３に示した移動端末１０の構成に加えて位置登録時刻抽出部１８を設け、認証ＩＤ包含部１４に代えて認証ＩＤ・位置登録時刻包含部１９を設けた点で、上記の実施の形態１と異なる。
【００５３】
この内、位置登録時刻抽出部１８は、位置登録応答２０１中から位置登録時刻１０３を抽出して記憶部１３に記憶する。
【００５４】
一方、認証ＩＤ・位置登録時刻包含部１９は、上記の認証ＩＤ１０３に加えて、記憶部１３から読み出した位置登録時刻１０３を、前回の位置登録時刻として位置登録要求１０１に含める。
【００５５】
なお、これらの無線基地局３０ａ及び移動端末１０ａは、無線基地局３０及び移動端末１０と同様、図１に示した無線システム１に適用することができる。
【００５６】
本実施の形態に特有の動作として、無線基地局３０ａは、図５に示した上記のステップＳ２４、Ｓ２８、及びＳ２９に代えて、図８に示すステップＳ３３〜Ｓ３５を実行する。
【００５７】
具体的には、上記のステップＳ２３で初回の位置登録と判定した場合、位置登録時間差判定部４０は、現在時刻を、位置登録時刻１０３として位置登録時刻通知部４２に与える。位置登録時刻通知部４２は、位置登録応答２０１に位置登録時刻１０３を含め、以て位置登録時刻１０３を移動端末１０ａへ通知する。すなわち、位置登録時刻通知部４２は、移動端末１０ａに対して、位置登録時刻１０３を、前回の位置登録時刻として新たな位置登録要求１０１に含めて通知するよう指示する(ステップＳ３３)。
【００５８】
一方、上記のステップＳ２３で初回の位置登録で無いと判定した場合、位置登録時間差判定部４０は、現在時刻と、移動端末１０ａから通知された前回の位置登録時刻１０３との時間差１０９を算出する(ステップＳ３４)。
【００５９】
そして、位置登録時間差判定部４０は、現在時刻を、位置登録時刻１０３として位置登録時刻通知部４２に与える。位置登録時刻通知部４２は、上記のステップＳ３３と同様にして、位置登録時刻１０３を移動端末１０ａへ通知する(ステップＳ３５)。
【００６０】
これにより、上記の実施の形態１と同様、位置登録時間差１０９に応じた位置登録回数１０５の更新、及び位置登録回数１０５に応じたコンテンツサーバ２０へのアクセス制御が行われることとなる。
【００６１】
一方、移動端末１０ａは、図９に示すステップＳ４１〜Ｓ４４を実行すると共に、図４に示した上記のステップＳ１１〜Ｓ１４に加えて、図１０に示すステップＳ１５及びＳ１６を実行する。
【００６２】
具体的には、図９に示すように、移動端末１０ａで位置登録応答２０１が受信されると(ステップＳ４１)、位置登録時刻抽出部１８は、位置登録応答２０１中からの位置登録時刻１０３の抽出を試みる(ステップＳ４２)。この結果、位置登録時刻１０３を抽出した場合(ステップＳ４３)、位置登録時刻抽出部１８は、位置登録時刻１０３を記憶部１３に記憶する(ステップＳ４４)。
【００６３】
一方、図１０に示すように、記憶部１３に位置登録時刻１０３が記憶されている場合(ステップＳ１５)、認証ＩＤ・位置登録時刻包含部１９は、記憶部１３から位置登録時刻１０３を読み出すと共に、読み出した位置登録時刻１０３を前回の位置登録時刻として位置登録要求１０１に含める(ステップＳ１６)。
【００６４】
なお、上記の実施の形態によって本発明は限定されるものではなく、特許請求の範囲の記載に基づき、当業者によって種々の変更が可能なことは明らかである。例えば、上記の実施の形態に示した無線基地局及び移動端末の各処理を、コンピュータに実行させるためのプログラムとして提供することもできる。この場合、当該プログラムを、コンピュータ内のプロセッサが実行可能なようにメモリ等の記憶媒体に格納すると好適である。或いは、当該プログラムは、既存の無線通信装置に組み込まれたファームウェアへのプラグインとして提供しても良い。
【符号の説明】
【００６５】
１  無線通信システム
２  インターネット
３  ＩＳＰ
４  サービスエリア(セル)
１０, １０ａ  移動端末
１１, ３１  無線通信部
１２  信号処理部
１３, ４１  記憶部
１４  認証ＩＤ包含部
１５, ３６  アンテナ
１６, ３８  受信部
１７, ３７  送信部
１８  位置登録時刻抽出部
１９  認証ＩＤ・位置登録時刻包含部
２０  コンテンツサーバ
３０, ３０ａ  無線基地局
３２  トラヒック中継部
３３  位置登録要求監視部
３４  位置登録回数更新部
３５  中継可否判定部
３９  認証ＩＤ判定部
４０  位置登録時間差判定部
４２  位置登録時刻通知部
１００  上りトラヒック
１０１  位置登録要求
１０２, １０４, １０６, １０７  判定結果
１０３  位置登録時刻
１０５  位置登録回数
１０８  認証ＩＤ
１０９  位置登録時間差
２００  下りトラヒック
２０１  位置登録応答
Ｔｈ１, Ｔｈ２  閾値
【図１】
2011120085.tif 000003
【図２】
2011120085.tif 000004
【図３】
2011120085.tif 000005
【図４】
2011120085.tif 000006
【図５】
2011120085.tif 000007
【図６】
2011120085.tif 000008
【図７】
2011120085.tif 000009
【図８】
2011120085.tif 000010
【図９】
2011120085.tif 000011
【図１０】
2011120085.tif 000012